(57)【要約】【課題】被測定者の除脂肪量データと年齢データとに基づいて基礎代謝量を算出し得る公知の基礎代謝量測定装置を改良することにより、妊婦の基礎代謝量を簡便に、且つ、正確に測定することが可能な基礎代謝量測定装置を提供する。【解決手段】本発明の基礎代謝量測定装置は、被測定者たる妊婦の母体の除脂肪量データを算出して少なくともこの除脂肪量データと年齢データとに基づいてその基礎代謝量を算出するものである。斯かる母体の除脂肪量データは、公知の基礎代謝量測定装置に胎児部分重量データ取得手段を付加したうえで、被測定者の少なくとも身長データと体重データとインピーダンスデータと胎児部分重量データとに基づいて算出するものである。【選択図】  図４
2006223823.tif 000002
【特許請求の範囲】
【請求項１】
被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、
被測定者が妊婦である場合にその胎児部分の重量データを取得する胎児部分重量データ取得手段を更に備え、
前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、少なくとも母体の除脂肪量データと年齢データとに基づいて被測定者たる妊婦の基礎代謝量を算出することを特徴とする基礎代謝量測定装置。
【請求項２】
請求項１記載の基礎代謝量測定装置であって、
前記基礎代謝量算出手段は、母体の除脂肪量データに胎児部分重量データを加算して得られる重量データと年齢データとに基づいて被測定者たる妊婦の基礎代謝量を算出することを特徴とする基礎代謝量測定装置。
【請求項３】
請求項１又は２記載の基礎代謝量測定装置であって、
前記胎児部分重量データ取得手段は、被測定者たる妊婦の妊娠後の経過期間データを取得する妊娠期間データ取得手段と、この妊娠期間データに基づいて胎児部分の重量データを決定する胎児部分重量データ決定手段とを含んでなることを特徴とする基礎代謝量測定装置。
【請求項４】
請求項１記載の基礎代謝量測定装置であって、
被測定者たる妊婦の妊娠後の経過期間データを取得する妊娠期間データ取得手段を更に備え、
前記基礎代謝量算出手段は、母体の除脂肪量データと年齢データとに基づいて被測定者たる妊婦の母体の基礎代謝量を算出すると共に、妊娠期間データに基づいて胎児部分の基礎代謝量を算出し、且つ、これら母体の基礎代謝量と胎児部分の基礎代謝量とを合算することによって被測定者たる妊婦の基礎代謝量を算出することを特徴とする基礎代謝量測定装置。
【請求項５】
請求項４記載の基礎代謝量測定装置であって、
前記胎児部分重量データ取得手段は、前記妊娠期間データ取得手段で取得された妊娠期間データに基づいて胎児部分の重量データを決定する胎児部分重量データ決定手段を含んでなることを特徴とする基礎代謝量測定装置。
【請求項６】
請求項３乃至５記載の基礎代謝量測定装置であって、
前記妊娠期間データ取得手段は、測定日データを取得する測定日データ取得手段と、被測定者たる妊婦の出産予定日データを取得する出産予定日データ取得手段と、これら測定日データと出産予定日データとに基づいて妊娠後の経過期間データを決定する妊娠期間データ決定手段とを含んでなることを特徴とする基礎代謝量測定装置。
【発明の詳細な説明】
【技術分野】
【０００１】
本発明は、被測定者の除脂肪量データと年齢データとに基づいて基礎代謝量を算出し得る基礎代謝量測定装置に関し、特に被測定者が妊婦である場合においてもその基礎代謝量を算出し得る基礎代謝量測定装置に関する。
【背景技術】
【０００２】
被測定者の基礎代謝量を正確に測定するためには、呼気分析計等の大掛かりな装置が必要となる。呼気分析計を用いた基礎代謝量測定では、被測定者はマスクやマウスピースを着用して長時間安静を保たなければならず、被測定者に掛かる負担が大きい。また、斯かる装置の操作や測定結果の評価には、専門家を必要とする。
【０００３】
そこで、厚生労働省からは、例えば非特許文献１に示される如く、統計学的に標準的な基礎代謝量が算出できるよう、性別及び年齢に基づく基礎代謝基準値に体重を乗算することで得られる基礎代謝量が提示されており、基礎代謝量の簡便な推定に用いられている。
【０００４】
また、本願出願人の下では、被測定者の除脂肪量や年齢に基づいてその基礎代謝量を簡便に算出し得る方法及び装置が開発されて実用に供されると共に、特許文献１及び２の如く、特許出願もなされている。
【０００５】
尚、特許文献１及び２に開示された基礎代謝量の演算方法及び測定装置は、例えば特許文献３及び４に開示された如き所謂生体電気インピーダンス法を用いた体脂肪計や体組成計に組込まれて実用化されており、斯かる生体電気インピーダンス法に基づいて測定される除脂肪量を重要なパラメータとする推定式によって、被測定者の基礎代謝量が算出されるものである。
【０００６】
一方で、被測定者が妊婦である場合においては、その基礎代謝量は、胎児の成長や胎児に付属する臓器、子宮等の増大により、妊娠期間の後半期に２０％から３０％増加することが知られており、例えば非特許文献２には、妊娠各期における臓器別酸素消費の増加量が開示されている。
【０００７】
また、本願出願人の下では、胎児体重、羊水重量及び胎盤重量並びにこれらの総和である胎児部分重量が、妊娠週数に基づいて概ね一義的に推定可能であることが確認されており、斯かる妊娠週数と胎児部分重量の関係と、前述の生体電気インピーダンス法とを用いて、妊婦用の体脂肪測定装置が開発され、例えば特許文献５の如く、特許出願もなされている。
【０００８】
【非特許文献１】健康・栄養情報研究会編「第六次改訂  日本人の栄養所要量  食事摂取基準」第一出版株式会社、平成１１年９月１０日、ｐ．３５−３６
【非特許文献２】大中正治著「妊婦における栄養指導／正常妊婦の栄養指導  ２エネルギー」、一條元彦編「ＭＥＤＩＣＵＳ  ＬＩＢＲＡＲＹ  ５  母子にすすめる栄養指導」株式会社メディカ出版、１９９７年４月１５日、ｐ．４０−４４
【特許文献１】特開２００２−１１２９８２号公報
【特許文献２】特開２００２−１７２０９９号公報
【特許文献３】特公平５−４９０５０号公報
【特許文献４】特許第２８３５６６２号公報
【特許文献５】特開２００３−１０２６９６号公報
【発明の開示】
【発明が解決しようとする課題】
【０００９】
被測定者が妊婦である場合、その身体は特別な状況下にあるため、基礎代謝量の測定に非妊娠者にとっても負担が大きい呼気分析計等を用いるのは、あまり好まれない。
【００１０】
また、厚生労働省から提示されている非特許文献１の如き算出方法や、本願出願人の下で開発された特許文献１及び２の如き演算方法及び測定装置は、簡便ではあるが何れも非妊娠者を対象としており、これらを妊婦に用いた場合の結果は参考にはなるものの正確であるとは言い難く、妊婦の基礎代謝量測定に適したものではない。
【００１１】
本願出願人は、複数の妊婦の協力を得て、厚生労働省の算出方法並びに特許文献１及び２の演算方法及び測定装置の正確性について検証を行った。
【００１２】
図１０において、横軸は厚生労働省の算出方法を用いて算出した基礎代謝量を、縦軸は呼気分析計を用いて測定した基礎代謝量を表しており、被測定者たる各妊婦の算出基礎代謝量と測定基礎代謝量とが、検証データとして図中にプロットされている。図中の破線が横軸の値と縦軸の値との一致を表すものであるが、各被測定者の検証データから求められる平均線（実線）がこの破線から乖離していることから、この算出方法では妊婦の基礎代謝量を正確に算出し難いことが判る。
【００１３】
また、図１１において、横軸は特許文献１に開示された演算方法のうち、特に算定式：ＢＭＲ＝Ａ×ＦＦＭ２＋Ｂ×ＦＦＭ＋Ｃ×（１／ＡＧＥ）＋Ｄ×Ｗｔ＋Ｅ（但し、ＢＭＲは基礎代謝量を、ＦＦＭは除脂肪量を、ＡＧＥは年齢を、Ｗｔは体重を、Ａ、Ｂ、Ｃ、Ｄ、Ｅは定数を表す。）を用いて算出した基礎代謝量を、縦軸は呼気分析計を用いて測定した基礎代謝量を表しており、被測定者たる各妊婦の算出基礎代謝量と測定基礎代謝量とが、検証データとして図中にプロットされている。図１０の場合と同様、図中の破線が横軸の値と縦軸の値との一致を表すものであるが、各被測定者の検証データから求められる平均線（実線）がこの破線から乖離していることから、この算定式を以ってしても妊婦の基礎代謝量を正確に算出するのは難しいことが判る。
【００１４】
本発明は、被測定者の除脂肪量データと年齢データとに基づいて基礎代謝量を算出し得る公知の基礎代謝量測定装置を改良することにより、妊婦の基礎代謝量を簡便に、且つ、正確に測定することが可能な基礎代謝量測定装置を提供することを目的とする。
【課題を解決するための手段】
【００１５】
本発明の基礎代謝量測定装置は、被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、被測定者が妊婦である場合にその胎児部分の重量データを取得する胎児部分重量データ取得手段を更に備え、前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、少なくとも母体の除脂肪量データと年齢データとに基づいて被測定者たる妊婦の基礎代謝量を算出するものである。
【００１６】
斯かる本発明の基礎代謝量測定装置において、前記基礎代謝量算出手段は、母体の除脂肪量データに胎児部分重量データを加算して得られる重量データと年齢データとに基づいて被測定者たる妊婦の基礎代謝量を算出することとする。
【００１７】
また、前記胎児部分重量データ取得手段は、被測定者たる妊婦の妊娠後の経過期間データを取得する妊娠期間データ取得手段と、この妊娠期間データに基づいて胎児部分の重量データを決定する胎児部分重量データ決定手段とを含んでなることとする。
【００１８】
或いは、本発明の基礎代謝量測定装置において、被測定者たる妊婦の妊娠後の経過期間データを取得する妊娠期間データ取得手段を更に備え、前記基礎代謝量算出手段は、母体の除脂肪量データと年齢データとに基づいて被測定者たる妊婦の母体の基礎代謝量を算出すると共に、妊娠期間データに基づいて胎児部分の基礎代謝量を算出し、且つ、これら母体の基礎代謝量と胎児部分の基礎代謝量とを合算することによって被測定者たる妊婦の基礎代謝量を算出することとする。
【００１９】
また、前記胎児部分重量データ取得手段は、前記妊娠期間データ取得手段で取得された妊娠期間データに基づいて胎児部分の重量データを決定する胎児部分重量データ決定手段を含んでなることとする。
【００２０】
更に、本発明の基礎代謝量測定装置に付加される妊娠期間データ取得手段は、測定日データを取得する測定日データ取得手段と、被測定者たる妊婦の出産予定日データを取得する出産予定日データ取得手段と、これら測定日データと出産予定日データとに基づいて妊娠後の経過期間データを決定する妊娠期間データ決定手段とを含んでなることとする。
【発明の効果】
【００２１】
本発明の基礎代謝量測定装置は、被測定者の除脂肪量データと年齢データとに基づいて基礎代謝量を算出する基礎代謝量算出手段を備えてなる公知の基礎代謝量測定装置において、被測定者たる妊婦の母体の除脂肪量データを算出して少なくともこの除脂肪量データと年齢データとに基づいてその基礎代謝量を算出するものである。斯かる母体の除脂肪量データは、公知の基礎代謝量測定装置に胎児部分重量データ取得手段を付加したうえで、被測定者の少なくとも身長データと体重データとインピーダンスデータと胎児部分重量データとに基づいて算出するものである。従って、本発明の基礎代謝量測定装置は、妊婦の基礎代謝量を簡便に、且つ、正確に測定することが可能となる。
【００２２】
本発明の基礎代謝量測定装置において、前記基礎代謝量算出手段が、母体の除脂肪量データに胎児部分重量データを加算した重量データと年齢データとに基づいて被測定者たる妊婦の基礎代謝量を算出することとした場合は、公知の基礎代謝量測定装置に用いられている推定式を利用して、これを若干変更するだけで、本発明の基礎代謝量測定装置を実現することができる。
【００２３】
また、前記胎児部分重量データ取得手段を、被測定者たる妊婦の妊娠後の経過期間データを取得する妊娠期間データ取得手段と、取得された妊娠期間データに基づいて胎児部分の重量データを決定する胎児部分重量データ決定手段とを含んでなるように構成した場合には、母体の除脂肪量や最終的な基礎代謝量の算出に用いる胎児部分重量データを妊娠週数等の妊娠期間データに基づいて決定し得るので、本発明の基礎代謝量測定装置を更に簡便なものとすることができる。
【００２４】
或いは、本発明の基礎代謝量測定装置において、被測定者たる妊婦の妊娠後の経過期間データを取得する妊娠期間データ取得手段を付加したうえで、前記基礎代謝量算出手段が、母体の除脂肪量データと年齢データとに基づいて母体の基礎代謝量を算出すると共に妊娠期間データに基づいて胎児部分の基礎代謝量を算出し、且つ、これら母体の基礎代謝量と胎児部分の基礎代謝量とを合算することによって被測定者たる妊婦の基礎代謝量を算出することとした場合は、公知の基礎代謝量測定装置に用いられている推定式を若干変更しただけの推定式を以って母体の基礎代謝量を算出すると共に、妊娠週数等の妊娠期間データに基づいて胎児部分の基礎代謝量を算出し、最終的にこれらの和を求めるだけの簡単な演算処理プログラムによって、本発明の基礎代謝量測定装置を実現することができる。
【００２５】
また、前記胎児部分重量データ取得手段を、前記妊娠期間データ取得手段で取得された妊娠期間データに基づいて胎児部分の重量データを決定する胎児部分重量データ決定手段を含んでなるように構成した場合には、母体の除脂肪量の算出に用いる胎児部分重量データを妊娠週数等の妊娠期間データに基づいて決定し得るので、本発明の基礎代謝量測定装置を更に簡便なものとすることができる。
【００２６】
更に、本発明の基礎代謝量測定装置に付加される妊娠期間データ取得手段を、測定日データを取得する測定日データ取得手段と、被測定者たる妊婦の出産予定日データを取得する出産予定日データ取得手段と、取得された測定日データと出産予定日データとに基づいて妊娠後の経過期間データを決定する妊娠期間データ決定手段とを含んでなるように構成した場合には、本発明の基礎代謝量測定装置を使用する測定日や出産予定日といった特定し易い日付データから、妊娠期間データ及びこれに基づく胎児部分重量データが決定され又は胎児部分の基礎代謝量が算出されるので、本発明の基礎代謝量測定装置を一層簡便なものとすることができる。
【発明を実施するための最良の形態】
【００２７】
本発明の基礎代謝量測定装置は、被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、被測定者が妊婦である場合にその胎児部分の重量データを取得する胎児部分重量データ取得手段を更に備え、前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、少なくとも母体の除脂肪量データと年齢データとに基づいて被測定者たる妊婦の基礎代謝量を算出するものである。
【００２８】
斯かる本発明の基礎代謝量測定装置において、前記基礎代謝量算出手段は、母体の除脂肪量データに胎児部分重量データを加算して得られる重量データと年齢データとに基づいて被測定者たる妊婦の基礎代謝量を算出することが望ましい。
【００２９】
また、前記胎児部分重量データ取得手段は、被測定者たる妊婦の妊娠後の経過期間データを取得する妊娠期間データ取得手段と、この妊娠期間データに基づいて胎児部分の重量データを決定する胎児部分重量データ決定手段とを含んでなることが望ましい。
【００３０】
或いは、本発明の基礎代謝量測定装置において、被測定者たる妊婦の妊娠後の経過期間データを取得する妊娠期間データ取得手段を更に備え、前記基礎代謝量算出手段は、母体の除脂肪量データと年齢データとに基づいて被測定者たる妊婦の母体の基礎代謝量を算出すると共に、妊娠期間データに基づいて胎児部分の基礎代謝量を算出し、且つ、これら母体の基礎代謝量と胎児部分の基礎代謝量とを合算することによって被測定者たる妊婦の基礎代謝量を算出することが望ましい。
【００３１】
また、前記胎児部分重量データ取得手段は、前記妊娠期間データ取得手段で取得された妊娠期間データに基づいて胎児部分の重量データを決定する胎児部分重量データ決定手段を含んでなることが望ましい。
【００３２】
更に、本発明の基礎代謝量測定装置に付加される妊娠期間データ取得手段は、測定日データを取得する測定日データ取得手段と、被測定者たる妊婦の出産予定日データを取得する出産予定日データ取得手段と、これら測定日データと出産予定日データとに基づいて妊娠後の経過期間データを決定する妊娠期間データ決定手段とを含んでなることが望ましい。
【実施例１】
【００３３】
以下、本発明の第一実施例について、図１から図７までを参照して説明する。図１は、本発明の実施例たる基礎代謝量測定装置１の外観斜視図である。図２は、この基礎代謝量測定装置１の操作部の拡大図である。図３は、この基礎代謝量測定装置１の電気回路構成を表す概略図である。図４は、第一実施例としての基礎代謝測定装置１で実行される制御処理プログラムのフローチャートである。図５は、第一実施例の基礎代謝量測定装置１で用いられる妊娠週数と胎児部分重量データとの関係を表す図である。図６は、第一実施例の基礎代謝量測定装置１で用いられる妊婦用の基礎代謝量算定式の正確性を検証した図である。図７は、第一実施例の基礎代謝量測定装置１における印刷出力例を表す図である。
【００３４】
本発明の実施例たる基礎代謝量測定装置１（以下、単に「装置１」と略称することがある。）は、所謂生体電気インピーダンス法を利用して被測定者の体脂肪量、除脂肪量、体水分量、筋肉量、骨量等といった各種の体組成データを算出し得る体組成計であって、特に被測定者の除脂肪量データと年齢データとに基づいてその基礎代謝量を算出し得る公知の基礎代謝量測定装置が組込まれた体組成計を改良したものである。
【００３５】
斯かる装置１は、被測定者が起立して載るための載台２と、被測定者自身又はこの装置のオペレータ（以下、これらの者を「使用者」と総称することがある。）が各種データの入力や出力を行うための入出力ユニット３と、この入出力ユニット３を載台２に固定しつつ両者を電気的に結合するための配線等を内蔵した支柱４とで構成されている。
【００３６】
載台２の内部には、体重測定センサ２Ａとして、被測定者が載ることによって発生する荷重を検出するための所謂ロードセルが組込まれている。また、載台２の上面には、被測定者の左足裏に接触させるための電極５Ａ、５Ｂと、右足裏に接触させるための電極６Ａ、６Ｂとが、それぞれ絶縁された状態で配設されている。
【００３７】
入出力ユニット３には、使用者の操作を受付けるためのスイッチパネルを含む操作部７と、この装置１で取得される各種のデータを表示出力するための液晶画面を含む表示部８と、斯かるデータを印刷出力するためのサーマルプリンタを含む印刷部９とが組込まれている。ここで、操作部７のスイッチパネルには、この装置１を起動又は停止するための電源キー１０と、被測定者の着衣重量の設定を行うための風袋量設定キー１１と、日時の設定を行うための日時設定キー１２、被測定者の性別及び体型、又は被測定者が妊婦であるかどうかの設定を行うためのステータス設定キー１３と、被測定者の身長や生年月日、出産予定日等の設定を行うためのテンキー１４とが配設されている。
【００３８】
また、入出力ユニット３の内部には、後述する各種の制御処理プログラムを実行するためのプロセッサや一時保存メモリを含む制御部１５と、前述の電極５Ａ及び電極６Ａに電気的に接続されてこれらの電極に交流定電流を供給するための定電流発生回路１６と、前述の電極５Ｂ及び電極６Ｂに電気的に接続されて両電極間の電位差を測定するための電圧測定回路１７と、制御部１５で実行される制御処理プログラムが格納された読出し専用のマスクメモリ及び斯かる制御処理の結果等を保存するための書換え可能なフラッシュメモリを含むメモリ１８と、制御部１５における制御処理を規律するための時計回路１９とが組込まれている。更に、入出力ユニット３には、制御部１５を始めとしてこの装置１で消費する電力を供給するための電源２０が内蔵されている。
【００３９】
そして、制御部１５は、体重測定センサ２Ａ、操作部７、表示部８、印刷部９、定電流発生回路１６、電圧測定回路１７、メモリ１８、時計回路１９のそれぞれと電気的に接続されており、被測定者の体重測定や使用者からの入力操作の受付け、電極５Ａ、６Ａに対する電流供給や電極５Ｂ、６Ｂ間の電位差測定、更には被測定者の生体電気インピーダンスの測定やこれに基づく体組成の算定、斯かる算定結果の表示出力や印刷出力といった制御処理を実行する。
【００４０】
以下、この装置１で実行される制御処理を、フローチャートを参照して説明する。使用者が電源キー１０を押下してこの装置１を起動すると、制御部１５は、図４のフローチャートで表される制御処理を実行する。
【００４１】
ステップＳ１では、初期化処理が実行される。即ち、例えば制御部１５の一時保存メモリに残留している前回測定時の一時データ等を消去すると共に、後述するマタニティモードのフラグをクリアする。この時、制御部１５では、時計回路１９で計時されている現在日時データが取得されると共に、風袋量の初期データ（例えば１．５ｋｇ）がメモリ１８から読み出されて取得され、それぞれが表示部８に表示される。また、表示部８には、更に、被測定者の性別及び体型の設定を促すサイン又はメッセージが表示される。
【００４２】
ステップＳ２では、日時設定キー１２が押下されたかどうかが確認され、押下された場合はステップＳ３を経てステップＳ４に進み、押下されない場合はステップＳ３を飛ばしてステップＳ４に進む。尚、使用者は、表示部８に表示されている現在日時データを変更する必要がなければ、日時設定キー１２を押下する必要はない。
【００４３】
ステップＳ３では、現在日時データが再取得される。即ち、制御部１５は、テンキー１４からの入力を受付け、使用者がテンキー１４を用いて日時データを入力すると、時計回路１９で計時されている現在日時がこの入力された日時データで置換される。以後、この入力された日時データが、現在日時データとして時計回路１９で引続き計時される。
【００４４】
ステップＳ４では、風袋量設定キー１１が押下されたかどうかが確認され、押下された場合はステップＳ５を経てステップＳ６に進み、押下されない場合はステップＳ５を飛ばしてステップＳ６に進む。尚、使用者は、表示部８に表示されている風袋量データを変更する必要がなければ、風袋量設定キー１１を押下する必要はない。
【００４５】
ステップＳ５では、被測定者の風袋量データが再取得される。即ち、制御部１５は、テンキー１４からの入力を受付け、使用者がテンキー１４を用いて風袋量データを入力すると、メモリ１８から読み出された風袋量の初期データがこの入力された風袋量データで置換される。この入力された風袋量データは、被測定者の実際の風袋量として一時保存メモリに保存され、後述する体重の測定処理に供される。
【００４６】
ステップＳ６では、被測定者のステータスデータが取得される。即ち、制御部１５は、ステータス設定キー１３からの入力を受付け、使用者がステータス設定キー１３に含まれる「男性スタンダード」「男性アスリート」「女性スタンダード」「女性アスリート」「マタニティ」の５つのキースイッチの何れかを選択して押下すると、押下されたキースイッチに応じて被測定者のステータスデータが決定され、一時保存メモリに保存される。特に、「マタニティ」のキースイッチが押下された場合には、後述するマタニティモードの制御処理を実行するためのフラグがセットされる。尚、このフラグは、前記ステップＳ１の初期化処理において予めクリアされている。
【００４７】
次いで、ステップＳ７では、被測定者の年齢データが取得される。表示部８には、被測定者の生年月日の入力を促すサイン又はメッセージが表示され、制御部１５は、テンキー１４からの入力を受付ける。使用者がテンキー１４を用いて被測定者の生年月日データを入力すると、この生年月日データと現在日時データとに基づいて被測定者の年齢データが算出され、一時保存メモリに保存される。尚、生年月日データの入力に代えて、年齢データを直接入力するようにすることも可能である。
【００４８】
次いで、ステップＳ８では、被測定者の身長データが取得される。表示部８には、被測定者の身長の入力を促すサイン又はメッセージが表示され、制御部１５は、テンキー１４からの入力を受付ける。使用者がテンキー１４を用いて被測定者の身長データを入力すると、この身長データが一時保存メモリに保存される。尚、テンキー１４による身長データ入力に代えて、例えば電気又は磁気を利用した位置センサを含む電子身長計をこの装置１に付加しておき、斯かる電子身長計で測定される身長データを制御部１５で受付けるようにすることも可能である。
【００４９】
次いで、ステップＳ９では、被測定者の生活活動強度データが取得される。表示部８には、被測定者の生活活動強度データの入力を促すサイン又はメッセージが表示され、制御部１５は、テンキー１４からの入力を受付ける。使用者がテンキー１４を用いて被測定者の生活活動強度データを入力すると、この生活活動強度データが一時保存メモリに保存される。尚、生活活動強度とは、日常生活における運動量等を数段階に分けて指数化したもので、前掲非特許文献１を始めとして広く知られているものである。
【００５０】
次いで、ステップＳ１０では、マタニティモードのフラグがセットされているかどうかが確認され、セットされている場合は後述するステップＳ１０１及びステップＳ１０２を経てステップＳ１１に進み、クリアされている場合はこれらのステップＳ１０１、Ｓ１０２を飛ばしてステップＳ１１に進む。即ち、この装置１では、使用者がステータス設定キー１３を操作することによってセットされるフラグの状態に基づいて、被測定者が妊婦であるかどうかの判別が行われるものである。
【００５１】
ステップＳ１１では、被測定者の体重データが取得される。即ち、前記ステップＳ１０の状態で又は後述するステップＳ１０２の処理が終了した状態で、被測定者が載台２の上面に立つと、被測定者の体重に応じた荷重信号が、体重測定センサ２Ａから出力される。実際には、斯かる荷重信号を制御部１５で検出することで、このステップＳ１１が開始されるものである。そして、検出された荷重信号に対応した重量データから風袋量データを差引いた値が、被測定者の体重データとして一時保存メモリに保存される。
【００５２】
次いで、ステップＳ１２では、被測定者の生体電気インピーダンスに起因してその身体に生じる電位差データが取得される。即ち、前記ステップＳ１１で被測定者が載台２の上面に起立すると、その左足裏が電極５Ａ、５Ｂに接触し、右足裏が電極６Ａ、６Ｂに接触する。（或いは、斯かる接触状態となるように起立する。）そして、被測定者の両足間には、定電圧発生回路１６から電極５Ａ及び電極６Ａを介して交流定電流が供給され、身体のインピーダンスに応じた電位差が発生する。この両足間の電位差が、電極５Ｂ及び電極６Ｂを介して電圧測定回路１７で検出され、生体電気インピーダンスに起因した電位差データとして一時保存メモリに保存される。尚、この装置１においては被測定者の左右の足裏に接触する電極５Ａ、５Ｂ、６Ａ、６Ｂを用いて両足間の電位差データを取得しているが、左右の掌に接触する電極を用いて両手間の電位差データを取得し、又は掌に接触する電極と足裏に接触する電極とを用いて手足間の電位差データを取得するようにすることも可能である。或いは、身体に付着させることができる貼付型の電極を用いて、身体の任意の部位間において電位差データを取得することも可能である。
【００５３】
次いで、ステップＳ１３では、被測定者の生体電気インピーダンスデータ（以下「ＢＩデータ」と略称することがある。）が取得される。即ち、定電流発生回路１６から被測定者の身体に供給される電流値データと、前記ステップＳ１２で取得された電位差データとを用い、オームの法則に基づいて被測定者のＢＩデータが算出され、一時保存メモリに保存される。尚、抵抗値が既知で且つ異なる複数の基準抵抗を身体に直列又は並列に配設しておき、各抵抗に起因して生じる電位差データを身体に生じる電位差データと共に取得し、取得された各電位差データと基準抵抗の抵抗値との比率に基づいて被測定者のＢＩデータを算出することも可能であり、この場合は身体に供給される電流値データが不明であってもＢＩデータを取得することができる。
【００５４】
次いで、ステップＳ１４では、マタニティモードのフラグがセットされているかどうかが再び確認され、セットされている場合は後述するステップＳ１４１及びステップＳ１４２を経ると共にステップＳ１５を飛ばしてステップＳ１６に進み、クリアされている場合はこれらのステップＳ１４１、Ｓ１４２を飛ばしてステップＳ１５に進んだ後、ステップＳ１６に進むことになる。
【００５５】
ステップＳ１５では、被測定者たる非妊婦の基礎代謝量が取得される。この基礎代謝量は、図１１の横軸と同様に、前掲特許文献１及び２に開示された算定式：ＢＭＲ＝Ａ×ＦＦＭ２＋Ｂ×ＦＦＭ＋Ｃ×（１／ＡＧＥ）＋Ｄ×Ｗｔ＋Ｅ（但し、ＢＭＲは基礎代謝量を、ＦＦＭは除脂肪量データを、ＡＧＥは年齢データを、Ｗｔは体重データを、Ａ、Ｂ、Ｃ、Ｄ、Ｅは定数を表す。）に従って算出される。また、前掲特許文献３又は４を始めとして既に良く知られているように、被測定者の除脂肪量データはその体重データと体脂肪量（又は体脂肪率）データとに基づいて算出され、この体脂肪量（又は体脂肪率）データは被測定者の少なくとも身長データと体重データとＢＩデータとに基づいて算出される。即ち、メモリ１８には、これら基礎代謝量、除脂肪量データ及び体脂肪量（又は体脂肪率）データを算出するための各算定式が予め保存されており、各算定式に一時保存メモリに保存されている各種データの中から必要なデータを代入することで、被測定者たる非妊婦の基礎代謝量が算出されるものである。尚、メモリ１８には、被測定者の体水分量、筋肉量、骨量等といった他の体組成データを算出するための各算定式も保存されており、これらの体組成データも同時に算出されるものである。
【００５６】
次いで、ステップＳ１６では、前記ステップＳ１５で算出された体組成データが、表示部８に表示されると共に印刷部９で印刷される。斯かる印刷が終了し、使用者が電源キー１０を再度押下するか、所定時間が経過すると、装置１の電源がオフとなり、全ての制御処理が終了する。
【００５７】
次に、前記ステップＳ１０においてマタニティモードのフラグがセットされていた場合の制御処理について説明する。この場合は、ステップＳ１０からステップＳ１０１に進む。
【００５８】
ステップＳ１０１では、被測定者たる妊婦の妊娠後の経過期間データ（妊娠期間データ）が取得される。表示部８には、被測定者の出産予定日の入力を促すサイン又はメッセージが表示され、制御部１５は、テンキー１４からの入力を受付ける。使用者がテンキー１４を用いて被測定者の出産予定日データを入力すると、この生年月日データと現在日時データとに基づいて被測定者の妊娠期間データが算出され、一時保存メモリに保存される。尚、この装置１では、妊娠期間データとして妊娠週数が算出されるものである。もちろん、斯かる妊娠期間データは、妊娠日数や妊娠月数であってもよい。また、出産予定日データの入力に代えて、妊娠期間データを直接入力するようにすることも可能である。
【００５９】
次いで、ステップＳ１０２では、被測定者たる妊婦の胎児部分の重量データ（胎児部分重量データ）が取得される。ここで、胎児部分重量とは、胎児の体重と羊水の重量と胎盤の重量との総和を意味するものであるが、斯かる胎児部分重量は、図５又は前掲特許文献５に示される如く、妊娠週数に基づいて概ね一義的に推定可能である。即ち、この装置１のメモリ１８には、妊娠週数に対応した胎児部分重量データが予め保存されており、このステップＳ１０２では、前記ステップＳ１０１で算出された妊娠週数に対応した胎児部分重量データが読み出され、一時保存メモリに保存される。尚、この胎児部分重量データは、妊娠週数から胎児部分重量データを算出するための算定式（図５の曲線を表す関数式）を用いて算出するようにすることも可能である。
【００６０】
このように、ステップＳ１０１では妊娠期間データが取得され、ステップＳ１０２では取得された妊娠期間データに基づいて胎児部分重量データが取得されるものであるが、この胎児部分重量データは、超音波断層法等を用いて専門医等が測定したデータを、使用者がテンキー１４から直接入力するようにすることも可能である。
【００６１】
ステップＳ１０２に続くステップＳ１１からステップＳ１４までの処理は前述の通りであるが、マタニティモードのフラグがセットされていることから、ステップＳ１４の後はステップＳ１４１に進む。
【００６２】
ステップＳ１４１では、被測定者たる妊婦の母体の除脂肪量データが取得される。前掲特許文献３又は４を始めとして既に良く知られているように、被測定者の除脂肪量データはその体重データと体脂肪量（又は体脂肪率）データとに基づいて算出され、この体脂肪量（又は体脂肪率）データは被測定者の少なくとも身長データと体重データとＢＩデータとに基づいて算出される。従って、被測定者たる妊婦の母体の除脂肪量データは、除脂肪量データを算出するためのパラメータである体重データに母体の体重データを適用することで算出し得る。そして、母体の体重データは、被測定者たる妊婦の体重データから胎児部分重量データを差引くことで算出される。即ち、このステップＳ１４１では、一時保存メモリに保存されている身長データと体重データとＢＩデータと胎児部分重量データとに基づいて、より詳しくは、身長データと、体重データから胎児部分重量データが差引かれた重量データ（母体の体重データ）と、ＢＩデータとに基づいて、被測定者たる妊婦の母体の除脂肪量データが算出され、一時保存メモリに保存される。
【００６３】
次いで、ステップＳ１４２では、被測定者たる妊婦の基礎代謝量が取得される。この妊婦の基礎代謝量は、前掲特許文献１及び２に開示されると共に前記ステップＳ１５で用いた非妊婦用の基礎代謝量算定式を改良した算定式：妊婦ＢＭＲ＝Ａ１×（母体ＦＦＭ＋胎児Ｗｔ）２＋Ｂ１×（母体ＦＦＭ＋胎児Ｗｔ）＋Ｃ１×（１／ＡＧＥ）＋Ｄ１×母体Ｗｔ＋Ｅ１（但し、妊婦ＢＭＲは妊婦の基礎代謝量を、母体ＦＦＭは母体の除脂肪量データを、胎児Ｗｔは胎児部分重量データを、ＡＧＥは年齢データを、母体Ｗｔは母体の体重データを、Ａ１、Ｂ１、Ｃ１、Ｄ１、Ｅ１は定数を表す。）に従って算出される。この算定式は、非妊婦用の算定式における除脂肪量データを母体の除脂肪量データに胎児部分重量データを加算して得られる重量データ（母体ＦＦＭ＋胎児Ｗｔ）で、体重データを母体の体重データで、それぞれ置換えると共に、呼気分析計を用いて実測した基礎代謝量に基づく回帰分析によって特定された適切な定数を与えただけの、簡便なものである。即ち、メモリ１８には、この算定式が予め保存されており、このステップＳ１４２では、この算定式に一時保存メモリに保存されている母体の除脂肪量データと胎児部分重量データと年齢データと母体の体重データとを代入することで、被測定者たる妊婦の基礎代謝量が算出されるものである。
【００６４】
ここで、図６に、図１０及び図１１の場合と同じ複数の妊婦の協力を得て上記妊婦用算定式の正確性を検証した結果を示す。図６において、横軸はこの算定式を用いて算出した基礎代謝量を、縦軸は呼気分析計を用いて測定した基礎代謝量を表しており、被測定者たる各妊婦の算出基礎代謝量と測定基礎代謝量とが、検証データとして図中にプロットされている。図１０及び図１１の場合と同様に、図中の破線が横軸の値と縦軸の値との一致を表すものであるが、各被測定者の検証データから求められる平均線（実線）は、この破線と略一致している。即ち、この算定式を用いることで、妊婦の基礎代謝量を正確に算出し得ることが判る。
【００６５】
尚、このステップＳ１４２においては、上記算定式に代えて、前掲特許文献１及び２に開示された他の基礎代謝量算定式における除脂肪量データを母体の除脂肪量データに胎児部分重量データを加算して得られる重量データ（母体ＦＦＭ＋胎児Ｗｔ）で置換えてなる、次の何れかの算定式を用いてもよい。
妊婦ＢＭＲ＝Ａ２×（母体ＦＦＭ＋胎児Ｗｔ）＋Ｂ２×（１／ＡＧＥ）＋Ｃ２
又は
妊婦ＢＭＲ＝Ａ３×（母体ＦＦＭ＋胎児Ｗｔ）２＋Ｂ３×（母体ＦＦＭ＋胎児Ｗｔ）＋Ｃ３×（１／ＡＧＥ）＋Ｄ３
又は
妊婦ＢＭＲ＝Ａ４×（母体ＦＦＭ＋胎児Ｗｔ）＋Ｂ４×（１／ＡＧＥ）＋Ｃ４×母体Ｗｔ＋Ｄ４
又は
妊婦ＢＭＲ＝Ａ５×（母体ＦＦＭ＋胎児Ｗｔ）＋Ｂ５×（１／ＡＧＥ）＋Ｃ５×Ｗｔ＋Ｄ５
又は
妊婦ＢＭＲ＝Ａ６×（母体ＦＦＭ＋胎児Ｗｔ）２＋Ｂ６×（母体ＦＦＭ＋胎児Ｗｔ）＋Ｃ６×（１／ＡＧＥ）＋Ｄ６×Ｗｔ＋Ｅ６
但し、妊婦ＢＭＲは妊婦の基礎代謝量を、母体ＦＦＭは母体の除脂肪量データを、胎児Ｗｔは胎児部分重量データを、ＡＧＥは年齢データを、母体Ｗｔは母体の体重データを、Ｗｔは体重データを、Ａ２、Ｂ２、Ｃ２、Ａ３、Ｂ３、Ｃ３、Ｄ３、Ａ４、Ｂ４、Ｃ４、Ｄ４、Ｅ４、Ａ５、Ｂ５、Ｃ５、Ｄ５、Ａ６、Ｂ６、Ｃ６、Ｄ６、Ｅ６は定数を表す。
【００６６】
このように、ステップＳ１４２では、前記ステップＳ１４１で取得された母体の除脂肪量データと、前記ステップＳ７で取得された年齢データとに基づいて、被測定者の基礎代謝量が算出されるものであるが、これに加えて、前記ステップＳ１５における場合と同様に、被測定者の体水分量、筋肉量、骨量等といった他の体組成データも同時に算出されるものである。その後は前記ステップＳ１６に進み、前述した如きの表示及び印刷がなされるものである。
【００６７】
図７は、ステップＳ１６における印刷出力の例を表す図である。図４のフローチャートに従って取得された各種のデータが、一覧表示されている。尚、「基礎代謝量」の下に掲載されている「総消費エネルギー」及び「エネルギー所要量」は、何れも基礎代謝量をベースとして算出されるものであって、前掲非特許文献１を始めとして良く知られている。即ち、総消費エネルギーは、前記ステップＳ１５又は前記ステップＳ１４２で算出された基礎代謝量に、前記ステップＳ９で取得された生活活動強度データを乗ずることで算出される。また、エネルギー所要量は、非妊娠者の場合は総消費エネルギーと同一であるが、妊婦の場合にはこの総消費エネルギーに３５０ｋｃａｌを加算することで算出される。これらの計算処理は、前記ステップＳ１５及び前記ステップＳ１４２において、他の体組成データと共に算出すればよい。
【００６８】
以上、説明してきたように、本発明の第一実施例たる基礎代謝量測定装置１においては、主に操作部７と制御部１５とで年齢データ取得手段及び身長データ取得手段が構成され、主に体重測定センサ２Ａと制御部１５とで体重データ取得手段が構成され、主に電極５Ａ、５Ｂ、６Ａ、６Ｂと定電圧発生回路１６と電圧測定回路１７と制御部１５とでインピーダンスデータ取得手段が構成され、主に制御部１５とメモリ１８とで除脂肪量データ取得手段、基礎代謝量算出手段及び胎児部分重量データ取得手段が構成されており、除脂肪量データ取得手段たる制御部１５は、ステップＳ１４１の如く、少なくとも身長データと体重データとインピーダンスデータと胎児部分重量データとに基づいて被測定者たる妊婦の母体の除脂肪量データを算出し、基礎代謝量算出手段たる制御部１５は、ステップＳ１４２の如く、少なくとも母体の除脂肪量データと年齢データとに基づいて被測定者たる妊婦の基礎代謝量を算出するものである。
【００６９】
特に、本発明の第一実施例たる基礎代謝量測定装置１において、基礎代謝量算出手段たる制御部１５は、ステップＳ１４２の如く、母体の除脂肪量データに胎児部分重量データを加算して得られる重量データと年齢データとに基づいて、被測定者たる妊婦の基礎代謝量を算出するものである。
【００７０】
更に、本発明の第一実施例たる基礎代謝量測定装置１において、胎児部分重量データ取得手段は、主に操作部７と制御部１５と時計回路１９とで構成されてステップＳ１０１の如く被測定者たる妊婦の妊娠後の経過期間データを取得する妊娠期間データ取得手段と、主に制御部１５とメモリ１８とで構成されてステップＳ１０２の如く妊娠期間データに基づいて胎児部分の重量データを決定する胎児部分重量データ決定手段とを含んでなるものである。
【実施例２】
【００７１】
次に、本発明の第二実施例を、図８及び図９を参照して説明する。尚、この第二実施例の基礎代謝量測定装置は、その物理的な構成は第一実施例の装置１と何ら変わるところがないため、必要に応じて図１から図３までを参照することとし、詳細な説明は割愛する。図８は、第二実施例としての基礎代謝測定装置１で実行される制御処理プログラムのフローチャートである。図９は、第二実施例としての基礎代謝量測定装置１で用いられる妊娠週数と胎児部分の基礎代謝量との関係を表す図である。
【００７２】
第二実施例としての装置１では、図８のフローチャートで表される制御処理プログラムが実行される。この制御処理プログラムは、ステップＳ１４１の後にステップＳ１４３からＳ１４５までの処理が続く点を除いて、図４の制御処理プログラムと何ら変わるところがない。従って、これらステップＳ１４３からステップＳ１４５までの処理以外についての説明は割愛する。
【００７３】
図８のフローチャートにおいてステップＳ１４１で示される制御処理が終了し、即ち、被測定者たる妊婦の母体の除脂肪量が取得された後は、ステップＳ１４３に進む。
【００７４】
ステップＳ１４３では、被測定者たる妊婦の母体の基礎代謝量が取得される。この母体の基礎代謝量は、前掲特許文献１及び２に開示されると共に前記ステップＳ１５で用いた非妊婦用の基礎代謝量算定式を改良した算定式：母体ＢＭＲ＝Ａ１´×母体ＦＦＭ２＋Ｂ１´×母体ＦＦＭ＋Ｃ１´×（１／ＡＧＥ）＋Ｄ１´×母体Ｗｔ＋Ｅ１´（但し、母体ＢＭＲは妊婦の母体の基礎代謝量を、母体ＦＦＭは母体の除脂肪量データを、ＡＧＥは年齢データを、母体Ｗｔは母体の体重データを、Ａ１´、Ｂ１´、Ｃ１´、Ｄ１´、Ｅ１´は定数を表す。）に従って算出される。この算定式は、非妊婦用の算定式における除脂肪量データを母体の除脂肪量データで、体重データを母体の体重データで、それぞれ置換えると共に、適切な定数を与えただけの、簡便なものである。即ち、メモリ１８には、この算定式が予め保存されており、このステップＳ１４３では、この算定式に一時保存メモリに保存されている母体の除脂肪量データと年齢データと母体の体重データとを代入することで、被測定者たる妊婦の母体の基礎代謝量が算出され、一時保存メモリに保存されるものである。
【００７５】
尚、このステップＳ１４３においては、上記算定式に代えて、前掲特許文献１及び２に開示された他の基礎代謝量算定式における除脂肪量データを母体の除脂肪量データで置換えてなる、次の何れかの算定式を用いてもよい。
母体ＢＭＲ＝Ａ２´×母体ＦＦＭ＋Ｂ２´×（１／ＡＧＥ）＋Ｃ２´
又は
母体ＢＭＲ＝Ａ３´×母体ＦＦＭ２＋Ｂ３´×母体ＦＦＭ＋Ｃ３´×（１／ＡＧＥ）＋Ｄ３´
又は
母体ＢＭＲ＝Ａ４´×母体ＦＦＭ＋Ｂ４´×（１／ＡＧＥ）＋Ｃ４´×母体Ｗｔ＋Ｄ４´
又は
母体ＢＭＲ＝Ａ５´×母体ＦＦＭ＋Ｂ５´×（１／ＡＧＥ）＋Ｃ５´×Ｗｔ＋Ｄ５´
又は
母体ＢＭＲ＝Ａ６´×母体ＦＦＭ２＋Ｂ６´×母体ＦＦＭ＋Ｃ６´×（１／ＡＧＥ）＋Ｄ６´×Ｗｔ＋Ｅ６´
但し、母体ＢＭＲは妊婦の母体の基礎代謝量を、母体ＦＦＭは母体の除脂肪量データを、ＡＧＥは年齢データを、母体Ｗｔは母体の体重データを、Ｗｔは体重データを、Ａ２´、Ｂ２´、Ｃ２´、Ａ３´、Ｂ３´、Ｃ３´、Ｄ３´、Ａ４´、Ｂ４´、Ｃ４´、Ｄ４´、Ｅ４´、Ａ５´、Ｂ５´、Ｃ５´、Ｄ５´、Ａ６´、Ｂ６´、Ｃ６´、Ｄ６´、Ｅ６´は定数を表す。
【００７６】
次いで、ステップＳ１４４では、被測定者たる妊婦の胎児部分の基礎代謝量が取得される。この胎児部分の基礎代謝量とは、子宮に胎児が存在することに起因して増加する基礎代謝量を意味するものである。ここで、前掲非特許文献２の第４３頁には、表４として「妊娠各期における臓器別酸素消費の増加量」が開示されており、この表に従えば、胎児部分を構成する子宮、胎盤、胎児の各酸素消費増加量（ｍｌ／分）は、妊娠１０週において０．５、０、０、妊娠２０週において１．２、０．５、１．１、妊娠３０週において２．２、２．２、５．５、妊娠４０週において３．６、３．７、１２．４である。これらのデータを同表の計算式：４．９２４ｋｃａｌ×酸素消費増加量×１４４０分に代入して算出されるエネルギー量を胎児部分の基礎代謝量と捉え、斯かる基礎代謝量と妊娠週数との関係をグラフにすると、図９に示す如く、妊娠週数（横軸）と胎児部分の基礎代謝量（縦軸）との間には、算定式：胎児ＢＭＲ＝ａ×妊娠週数２＋ｂ×妊娠週数＋ｃ（但し、胎児ＢＭＲは胎児部分の基礎代謝量を表し、ａ、ｂ、ｃは定数を表す。）で表される関係があることが判る。即ち、この装置１のメモリ１８には、この算定式が予め保存されており、このステップＳ１４４では、この算定式に一時保存メモリに保存されている妊娠週数を代入することで、被測定者たる妊婦の胎児部分の基礎代謝量が算出され、一時保存メモリに保存されるものである。
【００７７】
次いで、ステップＳ１４５では、被測定者たる妊婦の基礎代謝量が取得される。この妊婦の基礎代謝量は、母体の基礎代謝量と胎児部分の基礎代謝量とを合算したものである。即ち、このステップＳ１４５では、前記ステップＳ１４３で取得された母体の基礎代謝量と前記ステップＳ１４４で取得された胎児部分の基礎代謝量とを合算すること（母体ＢＭＲ＋胎児ＢＭＲ）によって、被測定者たる妊婦の基礎代謝量が算出されるものである。尚、このステップＳ１４５では、基礎代謝量の算出に加えて、前記ステップＳ１５における場合と同様に、被測定者の体水分量、筋肉量、骨量等といった他の体組成データも算出されるものである。
【００７８】
以上、説明してきたように、本発明の第二実施例たる基礎代謝量測定装置１においては、第一実施例と同様に、主に操作部７と制御部１５とで年齢データ取得手段及び身長データ取得手段が構成され、主に体重測定センサ２Ａと制御部１５とで体重データ取得手段が構成され、主に電極５Ａ、５Ｂ、６Ａ、６Ｂと定電圧発生回路１６と電圧測定回路１７と制御部１５とでインピーダンスデータ取得手段が構成され、主に制御部１５とメモリ１８とで除脂肪量データ取得手段、基礎代謝量算出手段及び胎児部分重量データ取得手段が構成されており、除脂肪量データ取得手段たる制御部１５は、ステップＳ１４１の如く、少なくとも身長データと体重データとインピーダンスデータと胎児部分重量データとに基づいて被測定者たる妊婦の母体の除脂肪量データを算出し、基礎代謝量算出手段たる制御部１５は、ステップＳ１４３からＳ１４５までの如く、少なくとも母体の除脂肪量データと年齢データとに基づいて被測定者たる妊婦の基礎代謝量を算出するものである。
【００７９】
特に、本発明の第二実施例たる基礎代謝量測定装置１においては、ステップＳ１０１の如く被測定者たる妊婦の妊娠後の経過期間データを取得する妊娠期間データ取得手段が主に操作部７と制御部１５と時計回路１９とで構成されており、基礎代謝量算出手段たる制御部１５は、ステップＳ１４３の如く、母体の除脂肪量データと年齢データとに基づいて母体の基礎代謝量を算出すると共に、ステップＳ１４４の如く、妊娠期間データに基づいて胎児部分の基礎代謝量を算出し、且つ、ステップＳ１４５の如く、これら母体の基礎代謝量と胎児部分の基礎代謝量とを合算することによって被測定者たる妊婦の基礎代謝量を算出するものである。
【００８０】
更に、本発明の第二実施例たる基礎代謝量測定装置１において、胎児部分重量データ取得手段は、主に制御部１５とメモリ１８とで構成されてステップＳ１０２の如く妊娠期間データに基づいて胎児部分の重量データを決定する胎児部分重量データ決定手段とを含んでなるものである。
【図面の簡単な説明】
【００８１】
【図１】本発明の実施例たる基礎代謝量測定装置１の外観斜視図である。
【図２】この基礎代謝量測定装置１の操作部の拡大図である。
【図３】この基礎代謝量測定装置１の電気回路構成を表す概略図である。
【図４】第一実施例としての基礎代謝測定装置１で実行される制御処理プログラムのフローチャートである。
【図５】第一実施例の基礎代謝量測定装置１で用いられる妊娠週数と胎児部分重量データとの関係を表す図である。
【図６】第一実施例の基礎代謝量測定装置１で用いられる妊婦用の基礎代謝量算定式の正確性を検証した図である。
【図７】第一実施例の基礎代謝量測定装置１における印刷出力例を表す図である。
【図８】第二実施例としての基礎代謝測定装置１で実行される制御処理プログラムのフローチャートである。
【図９】第二実施例としての基礎代謝量測定装置１で用いられる妊娠週数と胎児部分の基礎代謝量との関係を表す図である。
【図１０】厚生労働省の基礎代謝量算出方法を検証した図である。
【図１１】特許文献１の基礎代謝量演算方法を検証した図である。
【符号の説明】
【００８２】
１  基礎代謝量測定装置（体組成計）
２  載台
２Ａ  体重測定センサ
３  入出力ユニット
４  支柱
５Ａ、５Ｂ、６Ａ、６Ｂ  電極
７  操作部
８  表示部
９  印刷部
１０  電源キー
１１  風袋量設定キー
１２  日時設定キー
１３  ステータス設定キー
１４  テンキー
１５  制御部
１６  定電流発生回路
１７  電圧測定回路
１８  メモリ
１９  時計回路
２０  電源
【図１】
2006223823.tif 000003
【図２】
2006223823.tif 000004
【図３】
2006223823.tif 000005
【図４】
2006223823.tif 000006
【図５】
2006223823.tif 000007
【図６】
2006223823.tif 000008
【図７】
2006223823.tif 000009
【図８】
2006223823.tif 000010
【図９】
2006223823.tif 000011
【図１０】
2006223823.tif 000012
【図１１】
2006223823.tif 000013